(57)【要約】  【課題】打ち出されたゴルフボールの低スピン化および高打角化が図られ、打ち出されたゴルフボールの飛距離を向上させることのできるゴルフクラブヘッドを提供する。  【解決手段】ゴルフクラブヘッド１を、フェース部２１を含むヘッド本体２０（第１の構成部分）と、ホーゼル部１１および連結板１２とからなる第２の構成部分とに分け、ホーゼル部１１の下端に結合された連結板１２と、ヘッド本体２０の後方側の内部壁面とを接合させる接合位置４０を設け、ゴルフボールを打撃したときの打撃力によりフェース部２１のフェース面２１０の向き（ロフト角度）を変化させ、打ち出されるゴルフボールのバックスピン量を減らし、打ち出し角を増大させる。【選択図】図１
2005192706.tif 000002
【特許請求の範囲】
【請求項１】
ゴルフクラブシャフトが固定されるホーゼル部、およびゴルフボールを打撃するフェース面を具備する、少なくとも二つの構成部分が接合して構成されたゴルフクラブヘッドであって、
少なくともホーゼル部を含む第１の構成部分と、
少なくともフェース面を含む第２の構成部分とを有し、
前記第２の構成部分は、ゴルフボールを打撃したときの打撃力により前記第１の構成部分に対して変位して、前記フェース面のロフト角度方向の向きが変化するような接合位置で前記第１の構成部分に接合されていることを特徴とするゴルフクラブヘッド。
【請求項２】
ゴルフクラブヘッドのソール部を底部とし、ゴルフボールの打撃方向を前方としたとき、前記接合位置は、ゴルフクラブヘッドの重心からフェース面におろした垂線とフェース面との交点の位置よりも低く、かつ、前記ホーゼル部に固定されるゴルフクラブシャフトの中心線の延長線と前記ソール部との交点の位置に対して、５ｍｍ以上後退した位置に設けられていることを特徴とする請求項１記載のゴルフクラブヘッド。
【請求項３】
前記第１の構成部分および前記第２の構成部分の少なくとも一方は外殻状の部材で構成されており、
前記外殻状の部材のうち、前記接合位置近傍における部材の肉厚は、前記接合位置近傍以外における部材の肉厚より薄いことを特徴とする請求項１または２に記載のゴルフクラブヘッド。
【請求項４】
前記第１の構成部分および前記第２の構成部分の少なくとも一方は外殻状の部材で構成されており、
前記外殻状の部材のうち、前記接合位置近傍における部材の弾性率は、前記接合位置近傍以外における部材の弾性率より低いことを特徴とする請求項１乃至３のいずれか一項に記載のゴルフクラブヘッド。
【請求項５】
前記第２の構成部分は、ホーゼル部を貫通させるための開口部を有するクラウン部と、フェース面と、ソール部と、サイド部とを含む外殻状のヘッド本体であり、
ゴルフボールの打撃方向を前方としたとき、前記第１の構成部分は、前記開口部を貫通した前記外殻状のヘッド本体の内側に一端を有するホーゼル部、および前記ホーゼル部の一端から後方に延設し前記サイド部の内部壁面と当接して前記接合位置をつくる連結板を有することを特徴とする請求項１乃至４のいずれか一項に記載のゴルフクラブヘッド。
【請求項６】
前記開口部とこれを貫通する前記ホーゼル部との間には、弾性体が間挿されていることを特徴とする請求項５に記載のゴルフクラブヘッド。
【請求項７】
請求項１乃至４のいずれか一項に記載のゴルフクラブヘッドであって、ソール部およびホーゼル部を含む第１の構成部分と、フェース面を含む第２の構成部分と、前記ソール部を底部とし、ゴルフボールの打撃方向を前方としたときに、前記フェース面の下部から後方に向かって形成された空隙部とを有し、前記第１の構成部分と前記第２の構成部分とは前記空隙部の後方側の位置で接合されていることを特徴とするゴルフクラブヘッド。
【請求項８】
前記空隙部には、シート状の弾性体が間挿されていることを特徴とする請求項７に記載のゴルフクラブヘッド。
【請求項９】
ゴルフボールの打撃方向を前方としたとき、前記第２の構成部分は、前記フェース面を前端とした立体形状をなし、
前記第１の構成部分は、前記フェース面以外の前記第２の構成部分を覆うように形成されたホーゼル部、クラウン部、サイド部、およびソール部を含む外殻形状をなし、
前記第２の構成部分は前記第１の構成部分の前記クラウン部、前記サイド部または前記ソール部の内部壁面と部分的に接合され、かつ、前記第１の構成部分の内部壁面と前記第２の構成部分の外表面との間には空隙が形成されていることを特徴とする請求項１乃至４のいずれか一項に記載のゴルフクラブヘッド。
【請求項１０】
ゴルフボールの打撃方向を前方としたときに、前記第１の構成部分は、ホーゼル部、クラウン部の主要部、ソール部の後方の一部、およびサイド部の後方の一部を一体化したものであり、
前記第２の構成部分は、前記フェース面、前記クラウン部の前方の一部、前記ソール部の前方の一部、および前記サイド部の前方の一部を一体化したものであり、
前記接合位置は、ゴルフクラブヘッドのソール部に設けられ、前記第２の構成部分における前記クラウン部の前方の一部と、前記クラウン部の主要部とによって空隙が形成されていることを特徴とする請求項１乃至４のいずれか一項に記載のゴルフクラブヘッド。
【請求項１１】
前記空隙には、弾性体が間挿されていることを特徴とする請求項９または１０に記載のゴルフクラブヘッド。
【請求項１２】
前記弾性体は、８０ＧＰａ以下の引っ張り弾性率を有することを特徴とする請求項６、８および１１のいずれか一項に記載のゴルフクラブヘッド。
【発明の詳細な説明】
【技術分野】
【０００１】
本発明は、ゴルフボールを打撃したときの打撃力により、フェース面のロフト角度方向の向きが変化するゴルフクラブヘッド、特に打撃力によってフェース面のロフト角度方向の向きが変化して打ち出されたゴルフボールのスピン量、打ち出し角を調整するゴルフクラブヘッドに関する。
【背景技術】
【０００２】
従来、打ち出されたゴルフボールの飛距離を向上させるための条件として、打ち出されたゴルフボールの初速度を高くすること（高初速化）、打ち出されたゴルフボールの逆回転（バックスピン）量を低く抑えること（低スピン化）、および打ち出し角を高くすること（高打角化）の三条件が必要であることが知られている。上記三条件のうち、打ち出されたゴルフボールの高初速化については、２００８年にルールの改正が予定されており、打ち出されたゴルフボールの初速度について上限が設けられることが決定している。そのため、ルールの改正後は低スピン化、および高打角化を図ることが打ち出されたゴルフボールの飛距離を向上させる上でますます重要となる。
【０００３】
ところで、従来、ホーゼル部と、外殻状のゴルフクラブヘッド本体とを接合する接合方法について様々な提案がなされている。
【０００４】
例えば、金属製中空ゴルフクラブヘッドにおいて、ゴルフクラブシャフトの中心線に沿って伸びたホーゼル部の下部とソール部とを結合し、ホーゼル部の上部とクラウン部との間に設けた隙間にゴム状弾性体などの柔らかい材料を間挿することにより、ゴルフボールを打撃したときにゴルフクラブヘッド本体自体を変形させ、高弾道の打ち出されたゴルフボールを得られるようにしたゴルフクラブヘッドを提案するものがある（例えば、特許文献１および２参照）。
【０００５】
さらに、ホーゼル部の下部をヘッド本体内で折れ曲がった形状とし、ホーゼル部の下端と、ヘッド本体の内部壁面とを、ホーゼル部に固定されるゴルフクラブシャフトの中心線の延長線とソール部との交点以外の点で接合した構造のゴルフクラブヘッドを提案するものもある（例えば、特許文献３、４および５参照）。
【０００６】
また、ホーゼル部とソール部とを連結して構成された連結体に、フェース部を含む塑性変形可能な打球体を接合し、この打球体を塑性変形してロフト角度やライ角度を調整することによりゴルフボールの飛距離、方向性、打球感を向上させたゴルフクラブヘッドを提案するものもある（例えば、特許文献６参照）。
【０００７】
【特許文献１】特開平１０−１２７８２７号公報
【特許文献２】特開２００２−３５１７５号公報
【特許文献３】実開昭６１−１６５７６１号公報
【特許文献４】特開２００３−７９７６７号公報
【特許文献５】特開２００３−９３５５３号公報
【特許文献６】特開平３−２２８７８２号公報
【０００８】
しかし、特許文献１乃至６に開示されたゴルフクラブヘッドでは、打ち出されたゴルフボールの十分な低スピン化および高打角化が図れず、飛距離の点で必ずしも満足のゆくものではない。
【発明の開示】
【発明が解決しようとする課題】
【０００９】
そこで、本発明は上記従来のゴルフクラブヘッドに鑑みてなされたものであり、ゴルフボールを打撃したときのゴルフボールの低スピン化および高打角化をはかり、ひいては打ち出されたゴルフボールの飛距離を向上させることのできる新規なゴルフクラブヘッドを提供することを目的とする。
【課題を解決するための手段】
【００１０】
上記目的を達成するため、本発明のゴルフクラブヘッドは、ゴルフクラブシャフトが固定されるホーゼル部、およびゴルフボールを打撃するフェース面を具備する、少なくとも二つの構成部分が接合して構成されたゴルフクラブヘッドであって、少なくともホーゼル部を含む第１の構成部分と、少なくともフェース面を含む第２の構成部分とを有し、前記第２の構成部分は、ゴルフボールを打撃したときの打撃力により前記第１の構成部分に対して変位して、前記フェース面のロフト角度方向の向きが変化するような接合位置で前記第１の構成部分に接合されていることを特徴とする。
【００１１】
ここで、ゴルフクラブヘッドのソール部を底部とし、ゴルフボールの打撃方向を前方としたとき、前記接合位置は、ゴルフクラブヘッドの重心からフェース面におろした垂線とフェース面との交点の位置よりも低く、かつ、前記ホーゼル部に固定されるゴルフクラブシャフトの中心線の延長線と前記ソール部との交点の位置に対して、５ｍｍ以上後退した位置に設けられていることが好ましい。
【００１２】
また、前記第１の構成部分および前記第２の構成部分の少なくとも一方は外殻状の部材で構成されており、前記外殻状の部材のうち、前記接合位置近傍における部材の肉厚は、前記接合位置近傍以外における部材の肉厚より薄くてもよい。ここで、接合位置近傍とは、前記接合位置から２０ｍｍ以内をいい、好ましくは１５ｍｍ以内をいう。
【００１３】
また、前記第１の構成部分および前記第２の構成部分の少なくとも一方は外殻状の部材で構成されており、前記外殻状の部材のうち、前記接合位置近傍における部材の弾性率は、前記接合位置近傍以外における部材の弾性率より低くてもよい。
【００１４】
また、前記第２の構成部分は、ホーゼル部を貫通させるための開口部を有するクラウン部と、フェース面と、ソール部と、サイド部とを含む外殻状のヘッド本体であり、ゴルフボールの打撃方向を前方としたとき、前記第１の構成部分は、前記開口部を貫通した前記外殻状のヘッド本体の内側に一端を有するホーゼル部、および前記ホーゼル部の一端から後方に延設し前記サイド部の内部壁面と当接して前記接合位置をつくる連結板を有するのが好ましい。その際、前記開口部とこれを貫通する前記ホーゼル部との間には、弾性体が間挿されていてもよい。
【００１５】
また、ソール部およびホーゼル部を含む第１の構成部分と、フェース面を含む第２の構成部分と、前記ソール部を底部とし、ゴルフボールの打撃方向を前方としたときに、前記フェース面の下部から後方に向かって形成された空隙部とを有し、前記第１の構成部分と前記第２の構成部分とは前記空隙部の後方側の位置で接合されているのが好ましい。その際、前記空隙部には、シート状の弾性体が間挿されていてもよい。
【００１６】
また、ゴルフボールの打撃方向を前方としたとき、前記第２の構成部分は、前記フェース面を前端とした立体形状をなし、前記第１の構成部分は、前記フェース面以外の前記第２の構成部分を覆うように形成されたホーゼル部、クラウン部、サイド部、およびソール部を含む外殻形状をなし、前記第２の構成部分は前記第１の構成部分の前記クラウン部、前記サイド部または前記ソール部の内部壁面と部分的に接合され、かつ、前記第１の構成部分の内部壁面と前記第２の構成部分の外表面との間には空隙が形成されているのが好ましい。その際、この空隙には弾性体が間挿されていてもよい。
【００１７】
また、ゴルフボールの打撃方向を前方としたときに、前記第１の構成部分は、ホーゼル部、クラウン部の主要部、ソール部の後方の一部、およびサイド部の後方の一部を一体化したものであり、前記第２の構成部分は、前記フェース面、前記クラウン部の前方の一部、前記ソール部の前方の一部、および前記サイド部の前方の一部を一体化したものであり、前記接合位置は、ゴルフクラブヘッドのソール部に設けられ、前記第２の構成部分における前記クラウン部の前方の一部と、前記クラウン部の主要部とによって空隙が形成されているのが好ましい。その際、この空隙に弾性体が間挿されていてもよい。
【００１８】
また、前記弾性体は、８０ＧＰａ以下の引っ張り弾性率を有するのが好ましい。
【発明の効果】
【００１９】
本発明によれば、ゴルフボールを打撃したときの打撃力により第２の構成部分を第１の構成部分に対して変位するように第２の構成部材を接合しているので、ゴルフボールを打撃したときのゴルフボールの低スピン化および高打角化が図られ、ひいては打ち出されたゴルフボールの飛距離を向上させることのできるゴルフクラブヘッドを提供することができる。
【発明を実施するための最良の形態】
【００２０】
（第一の実施の形態）
以下、本発明の第一の実施形態に係るゴルフクラブヘッドについて説明する。図１は本実施形態に係るゴルフクラブヘッド１の縦断面を模式的に示した図であり、図２は同ゴルフクラブヘッド１の斜視図であり、図３は同ゴルフクラブヘッド１のホーゼル部側の一部を切断したものの側面図であり、図４は同ゴルフクラブヘッド１をフェース部の外周縁に沿って切断したものをフェース面側の斜め下方向から見た図であり、図５は同ゴルフクラブヘッド１をクラウン部の外縁に沿って切断したものを上から見た図である。図１乃至図４に示すように、本実施形態に係るゴルフクラブヘッド１は、ホーゼル部１１、フェース部２１、クラウン部２２、サイド部２３、およびソール部２４を具備する中空ゴルフクラブヘッドである。
【００２１】
本実施形態に係るゴルフクラブヘッド１は、ゴルフクラブシャフトが固定されるホーゼル部１１を含む第１の構成部分、およびフェース部２１を含む外殻状の第２の構成部分の二つの構成部分が接合して構成されており、ゴルフボールを打撃するフェース面２１０はフェース部２１に形成されている。すなわち、図１に示すように、ホーゼル部１１は外殻状の第２の構成部分に囲まれた中空部分に下端が位置し、その下端で連結板１２と結合しており、ホーゼル部１１と連結板１２とが一体化して第１の構成部分となっている。一方、フェース部２１は、クラウン部２２、サイド部２３、およびソール部２４とともに一体化された外殻状のゴルフクラブヘッド本体（以下、単に「ヘッド本体」という。）２０を構成し、このヘッド本体２０が第２の構成部分となっている。
【００２２】
本実施形態に係るゴルフクラブヘッド１の第２の構成部分であるヘッド本体２０のうち、サイド部２３およびソール部２４は一体的に成形した部材であり、例えば６−４Ｔｉ合金（Ｔｉ−６Ａｌ−４Ｖ）などのチタン合金を鋳造して形成されている。
【００２３】
図２、図３および図４に示したように、サイド部２３はウッドタイプのゴルフクラブヘッドの側面に対応した、外側に膨らんだ湾曲した形状を備えている。サイド部２３の肉厚は、ゴルフボールを打撃したときの打撃力に耐えられる肉厚であれば良く、特に限定されない。代表的にはサイド部２３の肉厚は０．５〜３．０ｍｍであるのが好ましい。また、後述するように、サイド部２３には肉厚を薄くした部分が形成されていてもよい。
【００２４】
図１および図３に示したように、ソール部２４は、ウッドタイプのゴルフクラブヘッドの底面に対応した、外側に膨らんだ湾曲した形状を備えている。ソール部２４の肉厚は、ゴルフボールを打撃したときの打撃力に耐えられる肉厚であれば良く、特に限定されない。代表的にはソール部２４の肉厚は１．０〜４．０ｍｍであるのが好ましい。また、後述するように、ソール部２４には肉厚を薄くした部分が形成されていてもよい。
【００２５】
なお、ヘッド本体２０を構成するソール部２４、サイド部２３は別々の独立した部材として構成されていてもよい。例えば一枚のチタンまたはチタン合金板を展開図状にトリミングしてプレス加工し、ソール部材、サイド部材を形成し、ソール部とサイド部との境界部分で溶接して一体化する方法である。
【００２６】
フェース部２１は、ヘッド本体２０のフェース面２１０の縁に沿って、チタンまたはチタン合金板をトリミングして板状のフェース部材を作成し、このフェース部材をサイド部２３、ソール部２４、およびクラウン部２２のそれぞれの前面側の端部に溶接することにより取り付けられている。
【００２７】
フェース部２１の肉厚は、ゴルフボールを打撃したときの打撃力に耐えられる肉厚であれば良く、特に限定されない。代表的にはフェース部２１の肉厚は２．０〜４．０ｍｍであるのが好ましい。
【００２８】
クラウン部２２は、図１および図２に示したように、ウッドタイプのゴルフクラブヘッドの上面に対応した、外側に膨らんだ湾曲した形状を備えている。クラウン部２２は、例えば６−４Ｔｉ合金などのチタン合金で形成され、チタンまたはチタン合金で形成されたサイド部２３、フェース部２１の各上端と溶接して取り付けられている。図１および図２に示したように、ヘッド本体２０を構成するクラウン部２２の、ホーゼル部１１が貫通する部分には、開口部２２０１が設けられている。ホーゼル部１１の上部は、この開口部２２０１を貫通してクラウン部２２の上側に突出しており、ホーゼル部１１とクラウン部２２とはこの開口部２２０１を介して離間している。
【００２９】
開口部２２０１には、ホーゼル部１１およびヘッド本体２０を構成する材料より弾性率の低い材料で構成された弾性体３０が間挿されており、ゴルフボールを打撃したときの打撃力によりホーゼル部１１に対してクラウン部２２ひいてはヘッド本体２０が変位してフェース面２１０の向きが変化するのを可能にする。それと同時に、弾性体３０がヘッド本体２０の内部空間を密閉している。弾性体３０としては、例えば、ゴム、樹脂、マグネシウム合金などの弾性率の低い材料を用いることができる。この弾性体は引っ張り弾性率で、例えば８０ＧＰａ以下であるのが好ましい。弾性体３０の引っ張り弾性率を８０ＧＰａ以下とすることで、ゴルフボールを打撃したときにホーゼル部１１に対してクラウン部２２ひいてはヘッド本体２０が変位してフェース面２１０の向きを効果的に変化させることができる。
【００３０】
第１の構成部分を構成するホーゼル部１１は管状の部材であり、この管状のホーゼル部１１の下端に連結板１１が取り付けられている。ホーゼル部１１と連結板１２とは、ともに、例えば６−４Ｔｉ合金などのチタン合金で形成されている。
【００３１】
連結板１２は、ホーゼル部１１の下端と、ヘッド本体２０の内部壁面とを連結する板状の部材である。図５に示すように、本実施形態に係る連結板１２は、ホーゼル部１１と結合される側の端部は幅が小さく、反対側の端部、すなわちサイド部２３の内部壁面と接合される側の端部に接近するにつれて連続的に幅が大きくなる末広がりの形状を備えている。また、図５に示すように、ゴルフボールの打撃方向（図５中、Ｘ方向）を前方としたとき、連結板１２の後方（以下、ゴルフボールの打撃方向を「前方」といい、ゴルフボールの打撃方向と反対方向を「後方」という。）、すなわちフェース面２１０と反対側のサイド部２３の内部壁面と接合される側の端部の形状は、サイド部２３の後方側の内部壁面の形状と一致するような、後方に向かって膨らみ曲線状に形成されている。なお、連結板１２の形状は、本実施例の形状に限定されない。例えば、ホーゼル部１１側の端部からサイド部２３の後方側の内部壁面と接合される側の端部にかけて、一定の幅を有する帯型の形状を備えていてもよい。
【００３２】
また、連結板１２は弾性的に変形する材料で形成されていてもよい。さらに、フェース部２１、クラウン部２２、ソール部２４、サイド部２３などの外殻状のヘッド本体２０の他の部分を構成する部材よりも薄い材料で形成されていてもよい。また、連結板１２は部分的に薄く形成された部分を備えていてもよい。さらに一方の端部が厚く、他方の端部が薄く形成され、両端部の間の肉厚は一定の割合で連続的に減少または増大するような形状の板状部材で形成されていてもよい。
【００３３】
連結板１２とヘッド本体２０の内部壁面との接合位置の近傍のヘッド本体２０の外殻を構成する部分、例えばサイド部２３、クラウン部２２、ソール部２４の一部に、接合位置４０の近傍以外のサイド部２３、クラウン部２２、ソール部２４などの部分を構成する材料と比較して、肉厚を薄くした部分を設けてもよい。本実施形態では、図１中の小円Ａに示すように、サイド部２３の後方側の内部壁面に連結板１２を接合する場合、この連結板１２が接合される部分のサイド部２３に肉厚の薄い部分が設けられている。例えば、接合位置４０の近傍以外のサイド部２３を肉厚１．５〜２．５ｍｍの材料で作成し、接合位置４０で接合される部分のサイド部２３の肉厚を、上記部分の肉厚より約０．５ｍｍ薄い、１．０〜２．０ｍｍとする場合が例示される。
【００３４】
また、接合位置４０の近傍以外のサイド部２３、クラウン部２２、ソール部２４などの部分を構成する材料と比較して、肉厚の薄い部分を有する材料を用いて、接合位置４０の近傍のヘッド本体２０を形成することにより、ゴルフボールを打撃したときの打撃力により第１の構成部分に対して第２の構成部分となっているヘッド本体２０を変位しやすくすることができる。
【００３５】
本発明において、フェース面２１０を含む第２の構成部分であるヘッド本体２０は、第１の構成部分であるホーゼル部１１および連結板１２が一体化したものに対して変位可能に接合されている。また第１の構成部分に対して第２の構成部分は、ゴルフボールを打撃したときの打撃力により、フェース面２１０の向きが変化するような接合位置４０に設けられている。
【００３６】
本実施形態に係るゴルフクラブヘッド１では、接合位置４０は連結板１２とヘッド本体２０の内部壁面とが当接する位置に設けられており、具体的には、図１および図５に示すように、連結板１２とサイド部２３の後方側の内部壁面とが当接する位置に接合位置４０が設けられている。
【００３７】
本実施形態において、接合位置４０は、ゴルフクラブヘッドのソール部を底部としたときに、面重心、すなわちゴルフクラブヘッドの重心からフェース面におろした垂線とフェース面との交点の位置よりも下側の位置であり、かつ、ゴルフクラブシャフトの中心線すなわちホーゼル部１１の中心線を延長した直線がソール部２４と交わる交点Ｅに対して、フェース面２１０からゴルフボールの打撃方向の後方に５ｍｍ以上後退した位置に設けられている。
【００３８】
ここで、接合位置４０の位置の求め方について説明する。図１に示したように、ゴルフクラブヘッド１の重心Ｇの位置からフェース面２１０に垂線を下ろして、垂線とフェース面２１０との交点Ｇｓが求められる。「ゴルフクラブヘッドの重心からフェース面２１０におろした垂線とフェース面との交点の位置よりも下側の位置」とは、ゴルフクラブヘッド１を、通常のアドレスポジションに水平面に設置し、水平面から交点Ｇｓまでの高さをｈ1とし、水平面から接合位置４０までの高さをｈ2としたとき、ｈ1＞ｈ2の条件が満たされる位置をいう。
【００３９】
また、「ゴルフクラブシャフトの中心線の延長線がソール部２４と交わる交点に対して、フェース面２１０から後方に５ｍｍ以上後退した位置」とは、フェース面２１０のフェースアングルが０度であり、ゴルフクラブヘッド１を、通常のアドレスポジションに水平面に設置したときに、ゴルフクラブシャフトの中心線の延長線すなわちホーゼル部１１の中心線の延長線とソール部２４との交点Ｅの位置に対して、ホーゼル部１１の中心線を含む平面の法線方向に５ｍｍ以上後退した位置をいう。
【００４０】
ここで、通常のアドレスポジションに設置するとは、ゴルフクラブヘッドをライ角度通りに設置し、かつ、その時のゴルフクラブシャフトの中心軸とゴルフクラブヘッドのフェース部のリーディングエッジとが水平面の垂直上方から見て互いに平行になるように、つまりフェースアングルが０度になるように設置することをいう。ライ角度通りに設置とはゴルフクラブヘッドの底面を成すソール部のラウンド面と水平面との間の隙間がトウ側およびヒール側で略等しくなるように設置することをいう。ソール部のラウンド面が不明瞭な場合、フェース面に形成されているスコアラインと水平面とが平行になるように設置してもよい。また、ゴルフクラブにおいて、ソール部のラウンド面が不明瞭であり、かつスコアラインが直線状でない等により水平面との平行か否かの判別が困難な場合は、ライ角度は、ライ角度（度）＝（１００−クラブ長さ（インチ））にて設定される。例えば、４４インチのクラブ長さであれば、ライ角度は１００−４４＝５６度になる。
ここで、クラブ長さは、社団法人日本ゴルフ用品協会が定める測定法により測定される。測定器としては、株式会社鴨下精衡所製のクラブ・メジャーＩＩが挙げられる。
【００４１】
このように接合位置４０を設けるのに好ましい位置として、「ゴルフクラブヘッドの重心からフェース面におろした垂線とフェース面との交点の位置よりも下側の位置であり、かつ、ゴルフクラブシャフトの中心線すなわちホーゼル部１１の中心線を延長した直線がソール部２４と交わる交点Ｅの位置に対して、フェース面２１０からゴルフボールの打撃方向の後方に５ｍｍ以上後退した位置」とすることで、ゴルフボールによる打撃力を第１の構成部分が受けたときに生じる第１の構成部材に対する第２の構成部材の変位量を効果的に大きくすることができ、フェース面２１０のロフト角度方向の向きの変化を大きくすることができる。
【００４２】
本実施形態では、この接合位置４０において連結板１２の端部とサイド部２３の内部壁面とを溶接することにより接合されている。他の接合方法として、連結板１２端部とサイド部２３の後方側の内部壁面とを接着してもよい。
【００４３】
また、接合位置４０が形成される部分にのみ、接合位置４０の近傍以外のサイド部２３、クラウン部２２、ソール部２４などの部分を構成する材料と比較して弾性率の低い材料を用いてもよい。例えば、図１に示した小円Ａ´内に示したように、接合部４０の近傍部分のみを弾性率の低い材料を用いて一つの独立した接合部材４２として作成し、この接合部材４２に対して連結板１２の端部１２ｅ、サイド部２３の端部２３ｅ、およびソール部２４の端部２４ｅを溶接する方法が例示される。また第１の構成部分に第２の構成部分を接合する方法としては、溶接や接着のほか、ヒンジなどを用いて第１の構成部分に対して第２の構成部分を変位可能に接合してもよい。
【００４４】
次に、本実施形態に係るゴルフクラブヘッド１とゴルフボール（以下、単に「ボール」という。）とが当たったときのゴルフクラブヘッド１の動作について説明する。図６はボールとゴルフクラブヘッド１のフェース面２１０とが当たる前後のゴルフクラブヘッド１の動きを模式的に示した斜視図である。図中、実線はボールとゴルフクラブヘッド１のフェース面２１０とが当たる前のヘッド本体２０の位置を示し、二点鎖線はボールとゴルフクラブヘッド１のフェース面２１０とが当たったときのヘッド本体２０の位置を示す。図６中の実線と二点鎖線とが示すように、フェース面２１０にボールが当たる前の状態（実線で示した図）に比べ、フェース面２１０にボールが当たった状態（二点鎖線で示した図）では、ヘッド本体２０が接合位置４０を支点として持ち上がる方向に変位する。
【００４５】
これはボールがフェース面２１０に当ったときの打撃力がフェース面２１０に作用して、フェース面２１０が図中の右方向の力を受けるためである。このとき、フェース面２１０を含むヘッド本体２０は接合位置４０で第１の構成部分であるホーゼル部１１および連結板１２に接合されており、接合位置４０では第１の構成部分（ホーゼル部１１および連結板１２）に対して第２の構成部分（ヘッド本体２０）が変位可能に接合されている。そのため、ボールの打撃力を受けたヘッド本体２０は接合位置４０を支点としてフェース面２１０が持ち上がる方向（ロフト角度が大きくなる方向）に回転するように変位する。この結果、図６中二点鎖線で示したようにフェース面２１０も接合位置４０を支点として持ち上がり、フェース面２１０はロフト角度が大きくなるように上向きに変化する。具体的には、フェース面２１０は図６中の矢印Ａから矢印Ｂに向きを変化させる。
【００４６】
ボールがフェース面２１０から打撃力を受けると、ゴルフクラブヘッド１のロフト角度の作用により、ボールにはバックスピンが発生する。一方、このとき、フェース面２１０は矢印Ａから矢印Ｂにフェース面２１０の向きを変化させるので、フェース面２１０の向きが図６中右回転する。このため、ボールには図６中左回転成分が生じる。その結果、打ち出されたボールのバックスピン量は低く抑えられ、低スピン化が実現される。
【００４７】
また、ボールがフェース面２１０に当たることにより、フェース面２１０が接合位置４０を支点として持ち上がる方向に回転するように変位すると、フェース面２１０の向きは上向きになるように変化し、ボールの打撃前よりもフェース面２１０のロフト角度が大きくなった状態でボールが打ち出されるので、ボールの打ち出し角が大きくなり高打角化が図られる。そのため、先に述べた低スピン化の効果と、高打角化の効果とがあいまってボールの飛距離が向上する。
【００４８】
以上説明したように、本実施形態に係るゴルフクラブヘッド１では、ホーゼル部１１と連結板１２とを一体化してなる第１の構成部分と、第２の構成部分としてのフェース面２１０、クラウン部２２、サイド部２３およびソール部２４を含むヘッド本体２０とがサイド部２３またはソール部２４の後方の位置で変位可能に接合されている。そのため、ボールを打撃したときに第２の構成部分としてのヘッド本体２０が接合位置４０を支点としてフェース面２１０が持ち上がる方向に変位する。このとき、フェース面２１０は接合位置４０を支点として上を向く方向に向きを変化させ、打ち出されるボールのバックスピン量を減少させることができる。また、ボールを打撃した時にフェース面２１０が上を向く方向に回転するので、ボールを打撃した時のロフト角度が増大する。その結果、ボールの打ち出し角が増大する。以上のように、打撃時にバックスピン量が減少する効果と、打ち出し角が増大する効果とがあいまって、ボールの飛距離が向上するという効果が得られる。
【００４９】
また、本発明に係るゴルフクラブヘッド１でボールを打撃する場合、フェース面２１０の打点位置と、ボールの重心の位置とは無関係に、ヘッド本体２０は接合位置４０を支点として持ち上がる方向に変位し、フェース面２１０が上を向く方向に変化する。そのため、本発明に係るゴルフクラブヘッド１で打ち出されたボールには低スピン化と高打角化が図られ、飛距離が向上するという効果が得られる。
【００５０】
更に上記実施形態では、金属としてのチタンまたはチタン合金で形成された、いわゆるウッドタイプの中空金属製のゴルフクラブヘッド１を例にして説明したが、これに限定されるものではない。例えば、いわゆるアイアンタイプのゴルフクラブヘッドにも適用可能である。
【実施例】
【００５１】
以下、本発明の実施例ついて説明する。下記に示した方法でゴルフクラブヘッド（以下、「試験ヘッド」という。）を作製して試打試験を行った。
【００５２】
１．試験ヘッドの作製
【００５３】
チタン合金製のヘッド本体２０に、ホーゼル部１１と結合された連結板１２をヘッド本体２０のサイド部２３の内部壁面に溶接して図１および図２に示したゴルフクラブヘッドと同型の試験ヘッドを作製した。ホーゼル部１１および連結板１２もチタン合金製のものを用いた。試験ヘッドの種類としては、ヘッド本体と連結板との接合位置が本発明で規定される条件を満たさないもの（比較例１〜比較例３）、接合位置が本発明で規定される条件を満たすもの（実施例１）、実施例１の試験ヘッドの接合位置近傍の材料の肉厚を部分的に薄くしたもの（実施例２）、実施例２の試験ヘッドの接合位置に弾性率の低い材料を用いたもの（実施例３）、および実施例３の試験ヘッドの部材間の隙間（クラウン部とホーゼル部との隙間）に弾性率の低い弾性体を間挿したもの（実施例４）を作製した。また、比較のためにチタン合金製の従来品のヘッド（横浜ゴム（株）製製品番号ＨＳ３１５）を使用した。
【００５４】
本発明で規定される条件とは、「ゴルフクラブヘッドのソール部を底部とし、ゴルフボールの打撃方向を前方としたとき、第１の構成部分（連結板）と第２の構成部分（ヘッド本体）とを接合する接合位置は、ゴルフクラブヘッドの重心からフェース面におろした垂線とフェース面との交点の位置よりも低く、かつ、前記ホーゼル部に固定されるゴルフクラブシャフトの中心線の延長線と前記ソール部との交点の位置に対して、５ｍｍ以上後退した位置に設けられていること。」である。
【００５５】
２．試験方法
【００５６】
試験ヘッドを試打装置（試打ロボット）にセットし、ヘッドスピードを４０ｍ／ｓｅｃ．、打点位置をフェース面の重心位置としてボールを試打させた。打ち出されたゴルフボールの打ち出し角、バックスピン量、および飛距離を測定することにより評価した。試験の結果を表１に示す。表１中、「接合位置高さ」は、接合位置の高さとフェース面の重心位置の高さとの差を示し、値が正の場合は接合位置がフェース面の重心より高い位置にあることを示し、値が負の場合は接合位置がフェース面の重心より低い位置にあることを示す。
【００５７】
また、表１中、「交点Ｅからの距離」は、ゴルフボール打撃方向の位置、すなわち、ゴルフクラブシャフトの中心線の延長線とソール部との交点Ｅの位置と接合位置とのボールの打撃方向における距離を示し、値が負の場合はゴルフクラブシャフトの中心線とソール部との交点Ｅよりも前方側（フェース部側）にあることを示し、値が正の場合は、ゴルフクラブシャフトの中心線とソール部との交点Ｅよりも後方側にあることを示す。「接合位置肉厚」は接合位置近傍のサイド部の材料の肉厚が接合位置近傍以外のサイド部の材料の肉厚と比較して同じか薄いかを示し、「薄い」と表示したものは結合部のサイド部の材料の肉厚が０．５ｍｍ、接合位置近傍以外のサイド部の材料の肉厚より薄いことを表している。「接合位置弾性率」は、接合位置近傍のサイド部の弾性率が接合位置近傍以外のサイド部の材料の肉厚と比較して高いか低いか同じかを示し、カッコの中の数字は接合位置近傍のサイド部の弾性率の値を示す。「間挿弾性体の弾性率」はクラウン部２２の開口部２２０１に間挿された弾性体３０の弾性率を示す。
【００５８】
表１中「打ち出し角」、「スピン値」、および「飛距離」は従来品の打ち出し角、スピン量、および飛距離の値をそれぞれ１００としたときの相対的な指数値であり、「打ち出し角」は数字が大きいほど打ち出し角が大きいことを示し、「スピン値」は数字が大きいほど低スピン化が図られていることを示し、「飛距離」は数字が大きいほど飛距離が向上したことを示している。
【００５９】
【表１】
2005192706.tif 000003
【００６０】
表１の結果から分かるように、接合位置高さがフェース面の重心位置より高く、交点Ｅと接近している試験ヘッド（比較例１）では、打ち出し角およびバックスピン量とも従来品と同等で、飛距離にも改良はみられない。また、接合位置高さがフェース面の重心位置より高い位置にある場合には、交点Ｅから５ｍｍ以上後方側に離れた位置に接合位置を設けた試験ヘッド（比較例２）でも、打ち出し角およびバックスピン量とも従来品に比較して飛距離にも改良はみられない。さらに、接合位置高さがフェース面の重心位置より低くても、交点Ｅと接近している位置に接合位置を設けた試験ヘッド（比較例３）では、打ち出し角およびバックスピン量とも従来品と同等で飛距離にも改良はみられない。
【００６１】
これに対して、接合位置高さをフェース面の重心位置より低くし、かつ、交点Ｅより５ｍｍ以上後方側に離れた位置に接合位置を設けた試験ヘッド（実施例１）では、打ち出し角およびバックスピン量とも従来品に比較して改良され、飛距離も向上した。これらの結果から、接合位置がフェース面の重心より低い位置にあること、および、交点Ｅより後方側に５ｍｍ以上離れた位置に接合位置を設けることの二つの条件が満たされたときに初めて、打ち出し角が大きくなり、バックスピン量が低下して、飛距離が向上することがわかる。
【００６２】
さらに、実施例１の試験ヘッドの接合位置近傍のサイド部の材料の肉厚を薄くした試験ヘッド（実施例２）では、打ち出し角、およびバックスピン量がさらに改良され、飛距離がさらに向上する。また、実施例２の試験ヘッドの接合位置近傍のサイド部の材料を弾性率の低い材料で形成した試験ヘッド（実施例３）では、打ち出し角、およびバックスピン量がさらに改良され、飛距離がさらに向上する。さらに、実施例３の試験ヘッドの部材間の隙間に間挿した弾性体をさらに弾性率の低い弾性体にかえた試験ヘッド（実施例４）では、打ち出し角、およびバックスピン量がさらに改良され、飛距離がさらに向上する。
【００６３】
（第二の実施の形態）
次に本発明の第二の実施形態について説明する。本実施形態に係るゴルフクラブヘッドでは、ソール部およびホーゼル部を含む第１の構成部分と、フェース面を含む第２の構成部分と、ソール部を底部とし、ゴルフボールの打撃方向を前方としたときに、フェース面の下部から後方に向かって形成された空隙部とを有し、第１の構成部分と第２の構成部分とは空隙部の後方側の位置で接合されており、空隙部には、シート状の弾性体を間挿した構造を備えている。図７（ａ）は、本実施形態に係るゴルフクラブヘッド１ａをホーゼル部１１ａ側から見た側面図である。図７（ａ）に示したように、本実施形態に係るゴルフクラブヘッド１ａでは、ソール部２４ａとホーゼル部１１ａとが一体化された第１の構成部分と、フェース部２１ａ、クラウン部２２ａ、およびサイド部２３ａを含み、さらに底部２５ａを有する中空構造体である第２の構成部分とが、ゴルフクラブヘッド１ａの後方側に設けた接合位置４０ａで接合されている。
【００６４】
第１の構成部分は板状のソール部材２４ａと中空管状のホーゼル部１１ａとを結合して構成されており、第２の構成部分はフェース部２１ａ、クラウン部２２ａ、サイド部２３ａ、さらに底部２５ａを含む中空構造体である。
【００６５】
第１の構成部分と第２の構成部分とは後方側に設けた接合位置４０ａを介して変位可能に接合されている。図７（ａ）における小円Ｂに示したように、接合位置４０ａは、その上側に隣接するサイド部２３ａを構成する材料の肉厚より約０．５ｍｍ薄い材料で形成されており、サイド部２３ａよりも弾性的な変形をしやすい構造を備えている。
【００６６】
また、第１の構成部分と第２の構成部分との間に形成される空隙部、具体的にはソール部材２４ａの上面と第２の構成部分の底部２５ａとの間に形成される空隙部にシート状の弾性体３０ａが間挿されている。この弾性体３０ａは主にゴミや水等の進入防止のために設けられているが、図７（ｂ）に示すように弾性体３０ａは設けなくてもよい。
第二の実施の形態では、第一の実施の形態と同様に、ボールを打撃したときに第１の構成部分のフェース面２１０ａにボールが当たると、第１の構成部分が接合位置４０ａを支点としてフェース面２１０ａが持ち上がる方向に変位する。このため、フェース面２１０ａがボールに与えるバックスピン量が減少する（低スピン化）。また、第１の構成部分が回転することによりフェース面２１０ａの向きが上向きに変化する（ロフト角度が大きくなる）ため、ボールを打撃したときのボールの打ち出し角が大きくなる（高打角化）。その結果、低スピン化の効果と高打角化の効果とがあいまって打ち出されたゴルフボールの飛距離が向上する。
【００６７】
なお、本実施形態では、ソール部２４ａとホーゼル部１１ａとが結合された第１の構成部分に対して、フェース部２１ａ、クラウン部２２ａ、サイド部２３ａおよび底部２５ａを有する中空構造体である第２の構成部分が回転する、いわゆるウッドタイプの形状を有するゴルフクラブヘッド１ａに適用した例について説明したが、これに限定されない。すなわち、いわゆるアイアンタイプのゴルフクラブにおいて本発明を適用することもできる。
【００６８】
（変形例）
本実施形態の変形例として、アイアンタイプのゴルフヘッドに適用した例を挙げることができる。本変形例では、アイアンタイプのゴルフクラブヘッド１ｂのソール部に略水平方向の空隙部を設け、空隙部の後ろ側（後方側）に接合位置を設けた。図８は本実施形態の変形例に係るゴルフクラブヘッド１ｂをホーゼル部１１ｂの反対側からみた側面図である。図８に示すように、アイアンタイプのゴルフクラブヘッド１ｂのフェース面２１０ｂの下部からボールの打撃方向と反対方向に空隙部２２ｂを形成し、ソール部２４ｂの後方側の一部を残しておき、この部分に接合位置４０ｂを設けた。上記空隙部２２ｂにシート状の弾性体３０ｂを間挿し、ゴルフボールを打撃したときの打撃力によりフェース面２１０ｂがホーゼル部１１ｂに対して変位できるように接合する。このような構造のアイアンタイプのゴルフクラブヘッド１ｂでは、ゴルフボールを打撃したときの打撃力によりフェース面２１０ｂがホーゼル部１１ｂに対して変位し、フェース面２１ｂの向きが上を向く方向に変化するので、バックスピン量の減少（低スピン化）と、打ち出し角の増大（高打角化）とがあいまって打ち出されたゴルフボールの飛距離が向上する。
【００６９】
（第三の実施の形態）
次に本発明の第三の実施形態について説明する。本実施形態は、ゴルフクラブヘッドを、ソール部を含む外殻形状をなす第１の構成部分と、フェース面を含む立体形状をなす第２の構成部分とに分け、第２の構成部分を第１の構成部分の内部に収容した二重構造を有する。図９は、本実施形態に係るゴルフクラブヘッド１ｃをフェース面と直交する平面で切断した縦断面図である。図９に示したように、本実施形態に係るゴルフクラブヘッド１ｃでは、ソール部２４ｃ、クラウン部２２ｃおよびホーゼル部１１ｃとを含みフェース部に相当する位置に開口部２２０２を有する外殻形状をなす部分が第１の構成部分となっている。またフェース部２１ｃ、上面部２２１、および側面部２３１、および底面部２４１を有し、ゴルフボールの打撃方向を前方としたときに、フェース部２１のフェース面２１ｃを前端とし、後方に膨らんだ立体形状をなす部分が第２の構成部分となっている。第１の構成部分と第２の構成部分とは、第１の構成部分の後方側の内部壁面と第２の構成部材の後方側の外表面との間に設けた接合位置４０ｃで接合されている。
【００７０】
第１の構成部分はいわゆるウッドタイプのゴルフクラブヘッドからフェース部を切り取ったような形状、すなわち、クラウン部２２ｃ、ソール部２４ｃ、サイド部２３ｃおよびホーゼル部１１ｃを備えた、ゴルフクラブヘッドの外殻を構成する形状を備えている。一方、第２の構成部分は、フェース面２１０ｃの縁から後方に向けて延設された上面部２２１、側面部２３１、および底面部２４１を備えている。上面部２２１、側面部２３１、および底面部２４１は、フェース部２１ｃの外周縁から後方方向に遠ざかるにつれて幅と高さとが連続的に小さくなるように傾斜した外表面を形成しており、第１の構成部分を一回り小型化したような外形の立体形状をなす。そして、第１の構成部分はフェース面以外の第２の構成部分を覆うように構成されている。
【００７１】
図９に示したように、第２の構成部分は第１の構成部分の内部に収容され、第２の構成部分の後方側の先端の位置と、第１の構成部分の後方側の一番奥の内部壁面との間に接合位置４０ｃが形成されている。この接合位置４０ｃの部分を構成する材料は図９の小円Ｃに示すように、周囲より一段と薄い材料で構成されており、この薄肉化した部分を例えば溶接して接合することにより接合位置４０ｃが形成されている。
【００７２】
図９の小円Ｃに示したように、接合位置４０ｃは、その上側に隣接するサイド部２３ｃを構成する材料の肉厚より約０．５ｍｍ薄い材料で形成されており、サイド部２３ｃよりも弾性的な変形をしやすい構造を備えている。また、第１の構成部分と第２の構成部分との間に形成される空隙、具体的にはソール部材２４ｃと第一の部材との下部、クラウン部２２ｃと第２の構成部分の上部との間に形成される空隙のフェース部に近い位置に弾性体３０１ｃ、３０２ｃが間挿されている。これらの弾性体３０１ｃ、３０２ｃは主にゴミや水等の進入防止のために設けられている。そして、ゴルフボールを打撃したときの打撃力により、第１の構成部分に対して第２の構成部分が変位するのを可能にしている。
【００７３】
第三の実施の形態では、第一の実施の形態と同様に、第１の構成部分のフェース部２１ｃにボールが当たると、第１の構成部分が接合位置４０ｃを支点としてフェース面２１０ｃが持ち上がる方向に変位する。このため、フェース部２１ｃがボールに与える打撃時のバックスピン量が減少する（低スピン化）。また、第１の構成部分が変位することによりフェース面２１０ｃの向きが上向きに変化するため、打撃時のロフト角度が増大してボールの打ち出し角が大きくなる。その結果、低スピン化の効果と高打角化の効果とがあいまって打ち出されたボールの飛距離が向上する。
【００７４】
（第四の実施の形態）
次に本発明の第四の実施形態について説明する。本実施形態は、ゴルフボールの打撃方向を前方としたときに、ゴルフクラブヘッドを、ホーゼル部を含む後方側の構成部分と、フェース部を含む前方側の構成部分との二つの構成部分に分け、これらをソール部に設けた接合部で接合した構造を有する。図１０は、本実施形態に係るゴルフクラブヘッド１ｄをフェース面２１０ｄと直交する平面で切断した縦断面図である。図１０に示したように、本実施形態に係るゴルフクラブヘッド１ｄでは、クラウン部の主要部を占める後方部分２２１ｄ、ホーゼル部１１ｄ、サイド部の後方の一部を占める後方部分２３１ｄ、およびソール部の後方の一部を占める後方部分２４１ｄとを一体化したものが第１の構成部分となっており、クラウン部の前方の一部を占める前方部分２２０ｄ、フェース部２１ｄ、ソール部の前方の一部を占める前方部分２４０ｄ、サイド部の前方の一部を占める前方部分２３０ｄとを一体化したものが第２の構成部分となっている。第１の構成部分と第２の構成部分とは、ソール部の前方部分２４０ｄと後方部分２４１ｄとの境界部に設けた接合位置４０ｄで接合されている。
【００７５】
第１の構成部分はいわゆるウッドタイプのゴルフクラブヘッド１ｄをクラウン部とホーゼル部１１ｄとの間からソール部の後方部にかけて斜めに切断して前方部と後方部との二つの部分に切り分けた場合の後方部分を構成する部材で構成される。第２の構成部分はゴルフクラブヘッド１ｄの残部の前方部分を構成する部材で構成される。図１０に示したように、第１の構成部分と第２の構成部分とはソール部の途中に設けた接合位置４０ｄで接合されている。具体的には図１０の小円Ｄに示すように、ソール部の前方部分２４０ｄの端部とソール部の後半部分２４１ｄの端部とが嵌合するような形状を備えており、ゴルフボールを打撃したときの打撃力により、前方部分２４０ｄは後方部分２４１ｄひいてホーゼル部１１ｄに対して、接合位置４０ｄを支点に変位しうる構造を備えている。
【００７６】
また、第１の構成部分と第２の構成部分との間に形成される空隙、具体的にはクラウン部の前方部分２２０ｄと、クラウン部の後方部分２２１ｄとの間に形成される空隙には弾性体３０ｄが間挿されている。この弾性耐３０ｄは主にゴミや水等の進入防止のために設けられている。ゴルフボールを打撃したときの打撃力により、この弾性体３０ｄが変形することにより、第１の構成部分に対して第２の構成部分が変位するのを可能にしている。第四の実施の形態では、第一の実施の形態と同様に、第１の構成部分のフェース部２１ｄにボールが当たると、第１の構成部分のフェース面２１０ｄが接合位置４０ｄを支点として持ち上がる方向に変位する。このため、フェース部２１ｄがボールに与える打撃時のバックスピン量が減少する（低スピン化）。また、第１の構成部分が変位することによりフェース面２１０ｄの向きが上向きに変化するため、ボールを打撃したときのロフト角度が増大してボールの打ち出し角が大きくなる（高打角化）。その結果、低スピン化の効果と高打角化の効果とがあいまって打ち出されたゴルフボールの飛距離が向上する。
【図面の簡単な説明】
【００７７】
【図１】本発明の第一の実施形態に係るゴルフクラブヘッドの縦断面の模式図である。
【図２】本発明の第一の実施形態に係るゴルフクラブヘッドの斜視図である。
【図３】本発明の第一の実施形態に係るゴルフクラブヘッドの一部を切断したものの側面図である。
【図４】本発明の第一の実施形態に係るゴルフクラブヘッドのフェース部を切断したもののを正面斜め下から見た図である。
【図５】本発明の第一の実施形態に係るゴルフクラブヘッドのクラウン部を切断したものを上から見た図である。
【図６】本発明の第一の実施形態に係るゴルフクラブヘッドでボールを打撃したときの変形を分かりやすく説明した説明図である。
【図７】（ａ）および（ｂ）は、本発明の第二の実施形態に係るゴルフクラブヘッドの側面図である。
【図８】本発明の第二の実施形態に係るゴルフクラブヘッドの変形例の側面図である。
【図９】本発明の第三の実施形態に係るゴルフクラブヘッドの縦断面図である。
【図１０】本発明の第四の実施形態に係るゴルフクラブヘッドの縦断面図である。
【符号の説明】
【００７８】
１        ゴルフクラブヘッド
１１      ホーゼル部（第１の構成部分）
１２      連結板（第１の構成部分）
２０      ヘッド本体（第２の構成部分）
２１      フェース部（第２の構成部分）
２１０    フェース面（第２の構成部分）
２２      クラウン部（第２の構成部分）
２３      サイド部（第２の構成部分）
２４      ソール部（第２の構成部分）
３０      弾性体
【図１】
2005192706.tif 000004
【図２】
2005192706.tif 000005
【図３】
2005192706.tif 000006
【図４】
2005192706.tif 000007
【図５】
2005192706.tif 000008
【図６】
2005192706.tif 000009
【図７】
2005192706.tif 000010
【図８】
2005192706.tif 000011
【図９】
2005192706.tif 000012
【図１０】
2005192706.tif 000013